(57)【要約】【課題】屋根下地上に複数の屋根瓦を一部重ね合わせながら敷設する際に、屋根瓦の重ね合わせ部分の防水性を別途シーリング等を施すことなく向上することができ、特に立体型の屋根瓦として好適な屋根瓦を提供する。【解決手段】少なくとも一つの端部に、敷設時に隣接する他の屋根瓦１における前記端部とは反対側の端部の上に重ねられる上重ね部２を形成する。前記上重ね部２に上方に凹入する水切溝３を、この上重ね部２を形成した前記端部の端縁に沿って形成する。屋根瓦１を敷設した際に、隣り合う一方の屋根瓦１の上重ね部２と、他方の屋根瓦１の端縁との間に毛細管現象等により雨水が浸入しても、この雨水が水切溝３の内側の空間に溜まってそれ以上の浸入を抑制することができる。【選択図】図１
2008163677.tif 000002
【特許請求の範囲】
【請求項１】
屋根に敷設される屋根瓦であって、少なくとも一つの端部に、敷設時に隣接する他の屋根瓦における前記端部とは反対側の端部の上に重ねられる上重ね部を形成し、前記上重ね部に上方に凹入する水切溝を、この上重ね部を形成した前記端部の端縁に沿って形成して成ることを特徴とする屋根瓦。
【請求項２】
上記上重ね部として、軒側端部の裏面に突設された前垂部を備えることを特徴とする請求項１に記載の屋根瓦。
【請求項３】
上記前垂部が、水切溝の棟側に位置してこの水切溝の棟側の内面を構成する後堰部と、前記水切溝の軒側に位置してこの水切溝の軒側の内面を構成する前堰部とを備え、屋根下地上で軒側の屋根瓦の棟側端部上に、棟側の屋根瓦の前記前垂部を重ねて敷設された際に、棟側の屋根瓦の後堰部が軒側の屋根瓦の表面から離間し、且つ、棟側の屋根瓦の前堰部が軒側の屋根瓦の表面と離間している場合には、前記棟側の屋根瓦の後堰部と軒側の屋根瓦の表面との間隔が前記棟側の屋根瓦の前堰部と軒側の屋根瓦の表面との間隔よりも大きくなるように形成されていることを特徴とする請求項２に記載の屋根瓦。
【請求項４】
上記上重ね部として、軒棟方向と直交する方向の一端縁に形成された横重ね部を備えることを特徴とする請求項１乃至３のいずれか一項に記載の屋根瓦。
【請求項５】
上記横重ね部における水切溝に対して軒棟方向と直交する内側方に位置してこの水切溝における前記内側方の内面を構成する内堰部を具備し、この内堰部が、下方に突出する断面山形状に形成されていることを特徴とする請求項４に記載の屋根瓦。
【請求項６】
屋根下地上に、請求項１乃至５のいずれか一項に記載の屋根瓦を、隣り合う屋根瓦のうち一方の屋根瓦の端部の上重ね部を、他方の屋根瓦の他の端部の上に重ねるようにして敷設して成ることを特徴とする建物の屋根葺き構造。
【発明の詳細な説明】
【技術分野】
【０００１】
本発明は、建物の屋根に敷設される屋根瓦及び建物の屋根葺き構造に関するものである。
【背景技術】
【０００２】
近年、建物の屋根に敷設する屋根瓦１として、意匠性の向上等のためにセメント系成形材料等を成形して得られる厚型の立体形状を有する屋根瓦が要望されるようになってきている（特許文献１参照）。このような屋根瓦１’としては、例えば軒側の前端部の裏面に下方に突出する部位（以下、前垂部４という）を形成し、図９に示すように軒側の屋根瓦１’に棟側の屋根瓦１’を重ねて敷設する際に、軒側の屋根瓦１’の上面に棟側の屋根瓦１’の前垂部４を載置するものがある。これにより、敷設された屋根瓦１’を軽量化しつつ立体感を有する外観を呈することができ、また前垂部４によって屋根瓦１’間の水切をするようにしている。
【０００３】
しかし、セメント系成形材料等を成形して得られる屋根瓦１’を立体形状に形成する場合には、細部の寸法や形状の精度の向上に限界があり、このため上記の屋根瓦１’における、軒側の屋根瓦１’の表面と棟側の屋根瓦１’の前垂部４との間に微細な隙間が形成されることがある。このような微細な隙間が形成されていると、この隙間に雨水等が毛細管現象により浸入しやすくなって十分な防水性が得られず、この雨水等が野地等の屋根下地６まで達して腐食を生じるおそれがある。このため、例えば屋根瓦１’，１’同士の隙間にシーリングを施したり、屋根瓦１’，１’の裏側を完全に防水処理することも考えられるが、複雑な形状を有する立体型の屋根瓦１’，１’に対して別途防水処理をすることは困難を伴うものであった。
【特許文献１】特開２００１−２００６１６号公報
【発明の開示】
【発明が解決しようとする課題】
【０００４】
本発明は上記の点に鑑みて為されたものであり、屋根下地上に複数の屋根瓦を一部重ね合わせながら敷設する際に、屋根瓦の重ね合わせ部分の防水性を別途シーリング等を施すことなく向上することができ、特に立体型の屋根瓦として好適な屋根瓦、及びこの屋根瓦を用いた建物の屋根葺き構造を提供することを目的とする。
【課題を解決するための手段】
【０００５】
請求項１に係る屋根瓦は、屋根に敷設される屋根瓦１であって、少なくとも一つの端部に、敷設時に隣接する他の屋根瓦１における前記端部とは反対側の端部の上に重ねられる上重ね部２を形成し、前記上重ね部２に上方に凹入する水切溝３を、この上重ね部２を形成した前記端部の端縁に沿って形成して成ることを特徴とする。
【０００６】
請求項２に係る発明は、請求項１において、上記上重ね部２として、軒側端部の裏面に突設された前垂部４を備えることを特徴とする。
【０００７】
請求項３に係る発明は、請求項２において、上記前垂部４が、水切溝３の棟側に位置してこの水切溝３の棟側の内面を構成する後堰部４ａと、前記水切溝３の軒側に位置してこの水切溝３の軒側の内面を構成する前堰部４ｂとを備え、屋根下地６上で軒側の屋根瓦１の棟側端部上に、棟側の屋根瓦１の前記前垂部４を重ねて敷設された際に、棟側の屋根瓦１の後堰部４ａが軒側の屋根瓦１の表面から離間し、且つ、棟側の屋根瓦１の前堰部４ｂが軒側の屋根瓦１の表面と離間している場合には、前記棟側の屋根瓦１の後堰部４ａと軒側の屋根瓦１の表面との間隔が前記棟側の屋根瓦１の前堰部４ｂと軒側の屋根瓦１の表面との間隔よりも大きくなるように形成されていることを特徴とする。
【０００８】
請求項４に係る発明は、請求項１乃至３のいずれか一項において、上記上重ね部２として、軒棟方向と直交する方向の一端縁に形成された横重ね部５を備えることを特徴とする。
【０００９】
請求項５に係る発明は、請求項４において、上記横重ね部５における水切溝３に対して軒棟方向と直交する内側方に位置してこの水切溝３における前記内側方の内面を構成する内堰部５ａを具備し、この内堰部５ａが、下方に突出する断面山形状に形成されていることを特徴とする。
【００１０】
請求項６に係る建物の屋根葺き構造は、屋根下地６上に、請求項１乃至５のいずれか一項に記載の屋根瓦１を、隣り合う屋根瓦１のうち一方の屋根瓦１の端部の上重ね部２を、他方の屋根瓦１の他の端部の上に重ねるようにして敷設して成ることを特徴とする。
【発明の効果】
【００１１】
請求項１に係る発明によれば、屋根瓦１を屋根下地６に敷設した際に、隣り合う一方の屋根瓦１の上重ね部２と、他方の屋根瓦１の端縁との間に毛細管現象等により雨水が浸入しても、この雨水が水切溝３の内側の空間に溜まってそれ以上の浸入を抑制することができ、雨水等の屋根下地６側への浸入を抑制して防止性を向上することができる。
【００１２】
請求項２に係る発明によれば、屋根瓦１を屋根下地６に敷設した際に、軒棟方向に隣り合う棟側の屋根瓦１の前垂部４と、軒側の屋根瓦１の棟側端部との間に毛細管現象等により雨水が浸入しても、この雨水が水切溝３の内側の空間に溜まってそれ以上の浸入を抑制することができ、雨水等の屋根下地６側への浸入を抑制して防止性を向上することができるものであり、また、屋根に雨水と共に強風が吹き付けられた場合に、強風により押圧された雨水が屋根瓦１の表面と前垂部４との間に侵入しても、この雨水が水切溝３による空間内に到達すると前記押圧力が極端に低下し、この雨水が更に内側に浸入することが抑制されるものであり、このため、屋根瓦１同士の軒棟方向の重ね合わせ部分における防水性を向上することができる。
【００１３】
また、請求項３に係る発明によれば、水切溝３内の空間に溜まった水が後堰部４ａと屋根瓦１の表面との間に毛細管現象により浸入することを防止することができ、また、強風により押圧された雨水が屋根瓦１の表面と前堰部４ｂとの間に侵入した場合には、この風が水切溝３内の空間から後堰部４ａと屋根瓦１の表面との間へと吹き抜けることで、雨水が水切溝３による空間内に到達した際には雨水にかかる押圧力が更に低下し、この雨水の内側への浸入が更に抑制されることとなり、このため屋根瓦１同士の軒棟方向の重ね合わせ部分における防水性を更に向上することができるものである
また、請求項４に係る発明によれば、屋根瓦１を屋根下地６に敷設した際に、軒棟方向と直交する方向に隣り合う一方の屋根瓦１の横重ね部５と、他方の屋根瓦１における前記横重ね部５と重ね合わされた端縁部との間に毛細管現象等により雨水が浸入しても、この雨水が水切溝３の内側の空間に溜まってそれ以上の浸入を抑制することができ、このため、屋根瓦１同士の軒棟方向と直交する方向の重ね合わせ部分における防水性を向上することができる。
【００１４】
また、請求項５に係る発明によれば、内堰部５ａと、この内堰部５ａが重ねられている屋根瓦１との間に僅かな隙間が形成されていても毛細管現象による水の浸入を抑制することができて、水切性が向上し、水切溝３内の空間に溜まった雨水等の内側への浸入を更に抑制することができる。
【発明を実施するための最良の形態】
【００１５】
以下、本発明を実施するための最良の形態について説明する。
【００１６】
図４〜７に、本発明に係る屋根瓦（屋根材）１の一例を示す。
【００１７】
この屋根瓦１は、平面視矩形状に形成されている。この屋根瓦１は表面に凹凸模様が形成された立体瓦として形成されている。
【００１８】
屋根瓦１は適宜の材質にて形成することができるが、例えばセメント系成形材料を成形し、養生硬化することで形成することができる。このとき、セメント系成形材料としてセメントと水とスチレンモノマー等の油性成分とを主成分とするセメント含有逆エマルション組成物からなるものを用いることが好ましい。このようなセメント系成形材料は保形性が高く、立体的な形状を有する屋根瓦１の作製に好適に用いることができる。
【００１９】
このセメント系成形材料は、まず乳化剤、スチレンモノマー、水、架橋剤、重合開始剤を混合して逆エマルション（Ｗ／Ｏエマルション）を調製し、次に、この逆エマルションにセメント、軽量化剤、補強繊維を加えて強制攪拌機又は連続混合機で混合することによって得ることができる。
【００２０】
セメントとしては、特に制限されるものではないが、ポルトランドセメント、フライアッシュセメント、高炉セメント、アルミナセメント、ハイアルミナセメント、スラグセメント、早強セメント等を用いることができ、また一種単独で用いたり、二種以上を併用したりすることができる。また、軽量化材としては、例えばフライアッシュバルーン、パーライト、シラスバルーン等のほか、アクリロニトリル発泡体、発泡ポリスチレン、ポリ塩化ビニリデン発泡体等の有機発泡体等を用いることができ、補強繊維としては、例えばポリプロピレン繊維、アクリル繊維、ビニロン繊維等を用いることができる。乳化剤としては、例えば、オレイン酸系乳化剤、ヤシ油系乳化剤、ソルビタンセスキオレート、グリセロールモノステアレート、ソルビタンモノオレート、ジエチレングリコールモノステアレート、ソルビタンモノステアレート、ジグリセロールモノオレート等の非イオン性界面活性剤、各種アニオン系界面活性剤、カチオン系界面活性剤等を用いることができる。架橋剤としては、例えばトリメチロールプロパントリメタクリレート等を用いることができる。重合開始剤としては、有機過酸化物や過硫酸塩等の重合開始剤、例えばｔ−ヘキシルパーオキシ−２−エチルヘキサノエート等を用いることができる。
【００２１】
逆エマルション全量に対して、乳化剤の含有量は２．０〜５．０重量％、スチレンモノマーの含有量は８．０〜１７．０重量％、水の含有量は７７．０〜８９．０重量％、架橋剤の含有量は０．０４〜０．６重量％、重合開始剤の含有量は０．０４〜０．６重量％に設定することができる。また、セメント系成形材料全量に対して、セメントの含有量は７０〜９９重量％、軽量化材の含有量は０．３〜３０重量％、補強繊維の含有量は１．０〜２．０重量％に設定することができる。
【００２２】
次に、上記のセメント含有逆エマルション組成物をセメント系成形材料として用い、注型法、押出成形法、射出成形法、プレス成形法等の適宜の方法で成形し、例えば８０〜１００℃で６〜１５時間蒸気養生することで、屋根瓦１を得ることができる。
【００２３】
本実施形態の屋根瓦１には、敷設時に隣接する他の屋根瓦１の端縁の上に重ねられる上重ね部２として、下記の前垂部４と、横重ね部５とを備える。
【００２４】
図示のように、前垂部４は、屋根瓦１の軒側端部に、裏面から下方に突出するように形成されている。この前垂部４は図示の通り、屋根瓦１の軒棟方向と直交する方向の一端から他端に亘って設けられている。この前垂部４の裏面には、軒棟方向と直交する方向の水切溝３（３ａ）が断面略Ｖ字状に上方に凹入するように設けられている。水切溝３ａの深さは適宜設定されるが、５〜２０ｍｍの範囲であることが好ましい。また水切溝３ａの開口幅も適宜設定されるが、５〜２０ｍｍの範囲であることが好ましい。このとき、前垂部４の棟側部分は後堰部４ａとして形成され、前垂部４の軒側部分は前堰部４ｂとして形成されており、前記水切溝３ａは後堰部４ａと前堰部４ｂとの間に形成されている。すなわち、後堰部４ａは水切溝３ａの棟側に位置してこの水切溝３ａの棟側の内面を構成し、前堰部４ｂは水切溝３ａの軒側に位置してこの水切溝３ａの軒側の内面を構成する。この前堰部４ｂと後堰部４ａとは、後述するように、軒側の屋根瓦１の棟側端部上に棟側の屋根瓦１の前垂部４が配置されるように軒棟方向に複数並べて敷設する際に、後堰部４ａが屋根瓦１の表面から離間し、且つ、前堰部４ｂが屋根瓦１の表面と離間している場合には、後堰部４ａと屋根瓦１の表面との間隔が前堰部４ｂと屋根瓦１の表面との間隔よりも大きくなるように形成されていることが望ましい（図２参照）。
【００２５】
また、横重ね部５は、屋根瓦１の軒棟方向と直交する方向の一端縁に形成され、他端縁からは下重ね部７が延出されている。この屋根瓦１を平面上に載置した状態では、横重ね部５の裏面は前記平面から浮いた状態となり、下重ね部７の裏面は前記平面上に載置されるが、その表面は屋根瓦１の他の部分の表面よりも下方位置に配置される。横重ね部５の裏面には、軒棟方向の水切溝３（３ｂ）が上方に凹入するように設けられている。水切溝３ｂの深さは適宜設定されるが、１〜５ｍｍの範囲であることが好ましい。また水切溝３ｂの開口幅も適宜設定されるが、５〜３０ｍｍの範囲であることが好ましい。横重ね部５の裏面には、水切溝３ｂに対して軒棟方向と直交する外側方に外堰部５ｂが突設され、水切溝３ｂに対して軒棟方向と直交する内側方には内堰部５ａが突設されており、水切溝３ｂは前記外堰部５ｂと内堰部５ａとの間に形成されている。すなわち、内堰部５ａは水切溝３ｂに対して軒棟方向と直交する内側方に位置してこの水切溝３ｂにおける前記内側方の内面を構成し、外堰部５ｂは水切溝３ｂに対して軒棟方向と直交する外側方に位置してこの水切溝３ｂにおける前記外側方の内面を構成している。前記内堰部５ａは図示のように下方に突出する断面山形状に形成されていることが好ましい。
【００２６】
また、屋根瓦１の棟側端部には、表面から上方に突出する立ち上がり部８が突設されている。立ち上がり部８は図示の通り、屋根瓦１の軒棟方向と直交する方向の一端から他端に亘って設けられている。
【００２７】
また、屋根瓦１の軒側寄りの部分には、裏面の上記前垂部４よりも棟側に、支持部９が設けられている。支持部９は図示の例では屋根瓦１の裏面の三箇所に設けられており、この三つの支持部９が軒棟方向と直交する方向に並んで列設されている。この支持部９は図示の例では、下方に突出する凸状に形成されている。
【００２８】
また、屋根瓦１の棟側寄りの部分の、棟側端縁よりも軒側の部分には、下方に突出する下支持部１０が突設されている。
【００２９】
また、屋根瓦１の棟側端縁と、上記下重ね部７とには、それぞれビスや釘等の固着具が打入される固着孔１１が設けられている。図示の例では屋根瓦１の棟側端縁では立ち上がり部８の形成位置に複数の固着孔１１が軒棟方向と直交する方向に並んで設けられており、また下重ね部７には一つの固着孔１１が設けられているが、固着孔１１の位置及び個数は図示のものに制限されるものではない。
【００３０】
このような屋根瓦１の屋根下地６への敷設について、図１〜３を示して説明する。
【００３１】
屋根下地６は野地にて形成することができ、この場合、野地には必要に応じてアスファルトルーフィング等の防水シートが設けられる。
【００３２】
この屋根下地６上に軒側から棟側に向かって順次屋根瓦１を敷設する。屋根瓦１を敷設するにあたっては、まず複数の屋根瓦１を軒棟方向と直交する方向に順次設ける。このとき、まず屋根瓦１を屋根下地６上に配置し、この状態で固着孔１１にビスや釘等の固着具を打入して屋根下地６上に屋根瓦１を固定する。次いで、固定した屋根瓦１の、下重ね部７が設けられている側の側方に、別の屋根瓦１を配置する。このとき固定された屋根瓦１の下重ね部７に、別の屋根瓦１の横重ね部５を重ねるようにし、下重ね部７における固着具の固着位置を横重ね部５で覆うようにする。この状態で、前記別の屋根瓦１の固着孔１１に前記と同様にして固着具を打入して屋根下地６に固定する。この動作を複数回繰り返すことで、複数の屋根瓦１を軒棟方向と直交する方向に並べて敷設する。
【００３３】
次に、上記のように敷設された屋根瓦１（以下、一列目の屋根瓦１という）の棟側の屋根下地６上に、別の屋根瓦１（以下、二列目の屋根瓦１という）を配置する。図８に示す例では、二列目の屋根瓦１の横方向位置を一列目の屋根瓦１からずらして、千鳥状に配置している。このとき一列目の屋根瓦１の立ち上がり部８よりも軒側に二列目の屋根瓦１の前垂部４が配置されると共に、一列目の屋根瓦１の前記立ち上がり部８上に二列目の屋根瓦１の支持部９が配置されるようにする。このとき、一列目の屋根瓦１の棟側端縁における固着具の固着位置が、二列目の屋根瓦１にて覆われる。この状態で、二列目の屋根瓦１の固着孔１１に上記一列目の屋根瓦１の場合と同様に固着具を打入して、二列目の屋根瓦１を固定する。次いで、一列目の屋根瓦１の場合と同様に、この二列目の固定した屋根瓦１の、下重ね部７が設けられている側に、別の屋根瓦１を敷設し、このとき二列目の最初に固定した屋根瓦１と同様に一列目の屋根瓦１の立ち上がり部８よりも軒側に二列目の屋根瓦１の前垂部４が配置されると共に、一列目の屋根瓦１の前記立ち上がり部８上に二列目の屋根瓦１の支持部９が配置されるようにする。この動作を複数回繰り返すことにより、複数の二列目の屋根瓦１を軒棟方向と直交する方向に並べて敷設する。
【００３４】
そして、同様に三列目、四列目と繰り返し屋根瓦１を複数列敷設することにより、屋根下地６上に複数の屋根瓦１を敷設することができる。
【００３５】
このように屋根瓦１を敷設した状態では、軒棟方向に隣り合う屋根瓦１同士では、図１に示すように軒側の屋根瓦１の表面に棟側の屋根瓦１の前垂部４が重ねられており、このとき、屋根瓦１の表面と前堰部４ｂとの間は、雨水の吹き込みを防止するため、隙間が形成されないようにするか、隙間があってもその間隔が小さいことが望ましいが、両者の間に僅かな隙間が存在すると、隙間に雨水等が毛細管現象にて浸入するおそれがあり、また両者間に隙間が形成されないようにしても寸法誤差等により僅かに隙間が生じて同様に雨水等が浸入するおそれがある。特に立体型の屋根瓦１では前記隙間が生じないように寸法精度良く形成することは困難である。しかし、屋根瓦１の表面と前垂部４との間には、水切溝３ａによる空間が形成されていることから、前記のように雨水が浸入してもこの雨水は水切溝３ａ内の空間に溜まり、水切溝３ａよりも内側には容易には浸入しなくなる。また、屋根に雨水と共に強風が吹き付けた場合に、強風により押圧された雨水が屋根瓦１の表面と前堰部４ｂとの間に侵入しても、この雨水が水切溝３ａによる空間内に到達すると前記押圧力が極端に低下し、この雨水が更に内側に浸入することが抑制される。このため、屋根瓦１同士の軒棟方向の重ね合わせ部分における防水性を向上することができるものである。
【００３６】
また、棟側の屋根瓦１における前垂部４の後堰部４ａは、図２に示すように、軒側の屋根瓦１の表面から離間していることが好ましく、このとき前堰部４ｂも軒側の屋根瓦１の表面から離間している場合には、この前堰部４ｂと屋根瓦１の表面との間の間隔よりも、後堰部４ａと屋根瓦１の表面との間の間隔の方が大きくなるようにすることが好ましい。この場合、水切溝３ａ内の空間に溜まった水が後堰部４ａと屋根瓦１の表面との間に毛細管現象により浸入することを防止することができ、このため屋根瓦１同士の軒棟方向の重ね合わせ部分における防水性を更に向上することができるものである。また、このように後堰部４ａと屋根瓦１の表面とを離間させると、上記のように強風により押圧された雨水が屋根瓦１の表面と前堰部４ｂとの間に侵入した場合に、この風が水切溝３ａ内の空間から後堰部４ａと屋根瓦１の表面との間へと吹き抜けることになる。このため雨水が水切溝３ａによる空間内に到達した際には雨水にかかる押圧力が更に低下し、この雨水が更に内側に浸入することが更に抑制されることとなる。ここで、後堰部４ａと屋根瓦１の表面との間の間隔は適宜の寸法とすることができるが、後堰部４ａを介した雨水等の浸入を十分に抑制するためには、好ましくは１〜５ｍｍの範囲となるようにする。
【００３７】
また、軒棟方向と直交する方向に隣り合う屋根瓦１同士では、図３に示すように、一方の屋根瓦１の下重ね部７の上に他方の屋根瓦１の横重ね部５が重ねられている。このとき横重ね部５の外堰部５ｂと下重ね部７との間は、雨水の浸入を防止するために、隙間が形成されないようにするか、隙間があってもその間隔が小さいことが望ましいが、上記屋根瓦１の表面と前堰部４ｂとの間の場合と同様に、両者の間に僅かな隙間が存在すると、隙間に雨水等が毛細管現象にて浸入するおそれがあり、また両者間に隙間が形成されないようにしても寸法誤差等により僅かに隙間が生じて同様に雨水等が浸入するおそれがある。
【００３８】
しかし、下重ね部７と横重ね部５との間には、水切溝３ｂによる空間が形成されていることから、前記のように雨水が浸入してもこの雨水は水切溝３ｂ内の空間に溜まり、水切溝３ｂよりも内側には容易には浸入しなくなる。このため、屋根瓦１同士の軒棟方向と直交する方向の重ね合わせ部分における防水性を向上することができる。特に、本実施形態のように内堰部５ａを断面山形状に形成していると、下重ね部７と内堰部５ａとの間に僅かな隙間が形成されていても毛細管現象による水の浸入を抑制することができて、水切性が向上し、水切溝３ｂ内の空間に溜まった雨水等の内側への浸入を更に抑制することができる。そして、この水切溝３ｂ内に溜まった雨水は、十分な幅寸法を有する水切溝３ｂに沿っての軒棟方向に移動し、屋根下地６側への浸入が抑制されつつ、排水されることとなる。
【図面の簡単な説明】
【００３９】
【図１】屋根葺き構造の一例を示す断面図である。
【図２】図１の要部拡大図である。
【図３】同上の他の一部断面図である。
【図４】屋根瓦の一例を示す平面図である。
【図５】同上の底面図である。
【図６】同上の側面図である。
【図７】図４のＡ−Ａ断面図である。
【図８】屋根葺き構造の一例を示す平面図である。
【図９】従来技術を示す断面図である。
【符号の説明】
【００４０】
１  屋根瓦
２  上重ね部
３  水切溝
４  前垂部
４ａ  後堰部
４ｂ  前堰部
５  横重ね部
６  屋根下地
【図１】
2008163677.tif 000003
【図２】
2008163677.tif 000004
【図３】
2008163677.tif 000005
【図４】
2008163677.tif 000006
【図５】
2008163677.tif 000007
【図６】
2008163677.tif 000008
【図７】
2008163677.tif 000009
【図８】
2008163677.tif 000010
【図９】
2008163677.tif 000011